【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
複数の吸収性物品を備えた吸収性物品のパッケージであって、
前記複数の吸収性物品のうち少なくとも１つは、
吸収体と、
所定図柄の一部となるシール図柄を備え、前記所定図柄の他の一部となる台紙図柄を備えるシール台紙に貼付するためのシール部材と、
を有することを特徴とする吸収性物品のパッケージ。
【請求項２】
請求項１の吸収性物品のパッケージであって、
前記複数の吸収性物品は、第１吸収性物品と第２吸収性物品を有しており、
前記第１吸収性物品と前記第２吸収性物品は、それぞれ前記シール図柄を備えており、
前記第１吸収性物品の前記シール図柄と、前記第２吸収性物品の前記シール図柄が異なっていることを特徴とする吸収性物品のパッケージ。
【請求項３】
請求項１又は２の吸収性物品のパッケージであって、
前記所定図柄の一部とならない別図柄を備えるシール部材を有することを特徴とする吸収性物品のパッケージ。
【請求項４】
請求項３に記載の吸収性物品のパッケージであって、
前記別図柄は、前記所定図柄とは異なる別所定図柄の一部となる図柄であることを特徴とする吸収性物品のパッケージ。
【請求項５】
請求項１から４のいずれか１項に記載の吸収性物品のパッケージであって、
前記シール台紙には、前記シール部材を貼付する位置を示す表示が設けられていることを特徴とする吸収性物品のパッケージ。
【請求項６】
請求項１から５のいずれか１項に記載の吸収性物品のパッケージであって、
前記シール台紙が前記複数の吸収性物品のパッケージに備えられていることを特徴とする吸収性物品のパッケージ。
【請求項７】
請求項６に記載の吸収性物品のパッケージであって、
前記シール台紙は、前記複数の吸収性物品を包装する包装材に設けられていることを特徴とする吸収性物品のパッケージ。
【請求項８】
請求項１から７のいずれか１項に記載の吸収性物品のパッケージであって、
前記複数の吸収性物品の少なくとも１つは、前記吸収体を備えた吸収性本体と、胴回り部と、前記胴回り部に設けられたテープ部材と、を有し、
前記テープ部材が、前記テープ部材の一端部に設けられたテープ把持部と、他端部に設けられた固定部とを有し、
前記固定部が、前記胴回り部の非肌側面に固定されており、
シール把持部と接着部とを備えるシール部材を有し、
前記シール把持部は、前記シール部材の一端部に設けられ、
前記接着部は、前記シール部材の一端部より他端部側の肌側面に設けられ、
前記接着部が、前記テープ部材に接着されており、
前記シール把持部を把持して前記テープ部材から分離された前記シール部材が、前記接着部において、再接着可能であることを特徴とする吸収性物品のパッケージ。
【請求項９】
請求項１から８のいずれか１項の吸収性物品のパッケージであって、
前記吸収性物品のパッケージから前記シール部材を備えた吸収性物品を取り出して自然状態にした状態において、
前記シール部材の非肌側の面は、全体が前記非肌側に露出していることを特徴とする吸収性物品のパッケージ。
【請求項１０】
請求項８に記載の吸収性物品のパッケージであって、
前記複数の吸収性物品は、上下方向と左右方向とを有しており、
前記シール部材の前記上下方向の長さが、前記テープ部材の前記上下方向より短いことを特徴とする吸収性物品のパッケージ。
【請求項１１】
請求項８に記載の吸収性物品のパッケージであって、
前記複数の吸収性物品は、上下方向と、左右方向と、前記上下方向及び前記左右方向と直交する前後方向とを有し、
前記テープ把持部と前記シール把持部は、前記上下方向において、少なくとも一部で重なっていないことを特徴とする吸収性物品のパッケージ。
【請求項１２】
請求項８、１０又は１１に記載の吸収性物品のパッケージであって、
前記テープ部材の他端部から前記テープ部材の一端部に向かう方向と前記シール部材の他端部から前記シール部材の一端部に向かう方向が同じであることを特徴とする吸収性物品のパッケージ。
【請求項１３】
吸収体と、
所定図柄の一部となるシール図柄を備え、前記所定図柄の他の一部となる台紙図柄を有するシール台紙に貼付するためのシール部材と、
を有することを特徴とする吸収性物品。
【手続補正２】
【補正対象書類名】明細書
【補正対象項目名】００５５
【補正方法】変更
【補正の内容】
【００５５】
シール把持部５２は、着用者等がシール部材５０をテープ部材４０から分離させる際に把持する部分である。シール把持部５２は、シール部材５０の一端部に設けられている。なお、シール部材５０の一端側は、おむつ１の上側であり、シール部材５０の他端側は、おむつ１の下側である。シール把持部５２は、テープ把持部４２と同様に、シール部材５０の端部に設けられており、シール把持部５２には、シール把持部材５３が設けられている。詳しくは、シール本体５１の肌側面に、シール把持部材５３が接着剤（不図示）等で剥離不能に固定されており、シール把持部５２の外周面には接着剤が付着していない。本実施形態におけるシール把持部材５３は、無色透明の樹脂素材である。シール把持部５２は、例えば、単にシール本体５１の一端部５０ｅに接着剤を設けない部分をシール把持部５２としてもよいし、シール本体５１の一端部５０ｅを肌側に折り返してシール本体５１同士を貼り付けた部分をシール把持部５２としてもよい。
【手続補正３】
【補正対象書類名】明細書
【補正対象項目名】００５７
【補正方法】変更
【補正の内容】
【００５７】
仮に、テープ部材４０ではなく、吸収性本体１０や胴回り部２０、３０にシール部材５０を接着させると、シール部材５０が持つ剛性によって、おむつ１の伸縮等の変形を阻害してしまったり、着用者の肌にシール部材５０が触れてしまったりする等、着用者に違和感を生じさせてしまう恐れがある。この点、おむつ１の廃棄処理の際に用いるテープ部材４０にシール部材５０を設けることで、おむつ１の伸縮等の変形性を低下させる恐れを軽減し、乳幼児の着用時における違和感を低下させることができる。
【手続補正４】
【補正対象書類名】明細書
【補正対象項目名】００６１
【補正方法】変更
【補正の内容】
【００６１】
また、テープ把持部４２とシール把持部５２は、上下方向において、少なくとも一部で重なっていないことが好ましい。図２Ａにおいては、テープ把持部４２とシール把持部５２は上下方向で重なっておらず、前後方向でほぼ同じ位置に設けられている。テープ把持部４２とシール把持部５２が上下方向において重なっていないことで、乳幼児や保護者がテープ把持部４２及びシール把持部５２をそれぞれ掴みやすくなる。
【手続補正５】
【補正対象書類名】明細書
【補正対象項目名】００６９
【補正方法】変更
【補正の内容】
【００６９】
以下、具体的に動物園図柄（所定図柄）６００の作成について説明する。乳幼児が、シール部材５０ａ（図４Ａ参照）を備えたおむつ１ａ（第１吸収性物品）を着用しようとする場合、乳幼児は、ぞうのシール図柄５６ａを備えたシール部材５０ａを掴み、おむつ１ａから分離させることができる。なお、おむつ１ａは、パッケージ１００に収容されたおむつ１の１つである。シール部材５０ａを掴む際には、接着剤が付着されていないシール把持部５２を掴むと、シール部材５０ａを他の場所に再接着可能としやすくする。
【手続補正６】
【補正対象書類名】明細書
【補正対象項目名】００７１
【補正方法】変更
【補正の内容】
【００７１】
シール台紙２００は、乳幼児によって貼られたシール図柄５６ａと台紙図柄２６０との組み合わせによって、動物園図柄（不図示）が形成される。つまり、１つのシール図柄５６ａと台紙図柄２６０は、動物園図柄６００の一部である。これによって、乳幼児は、シール図柄５６ａと台紙図柄２６０とを組み合わせるという行為を楽しむことができ、自分が貼ったシール部材５０ａによって、動物が少なかった台紙図柄２６０から、動物を増やした動物園図柄を作成することができる。また、このシール図柄５６ａは、乳幼児がこれから着用しようとしているおむつ１ａに備えられていたシール部材５０ａに設けられていたため、乳幼児は、シール部材５０ａに対して楽しい印象を抱くとともに、おむつ１ａに対してもより楽しい印象を与えやすくすることができる。その結果、排泄に関する印象をより向上させやすくすることができる。
【手続補正７】
【補正対象書類名】明細書
【補正対象項目名】００７２
【補正方法】変更
【補正の内容】
【００７２】
また、シール台紙２００には、シール部材５０を貼付する枠２６３が設けられているため、乳幼児はシール部材５０を貼りやすくしている。具体的には、領域Ａには、枠２６３ａが４個設けられている。乳幼児は、領域Ａを『ぞうさんのいえ』であることを認識すると、枠２６３ａがシール部材５０ａの添付箇所であることを認識しやすくなり、枠２６３ａに収まるようにシール部材５０ａを貼付するように促すことができる。また、複数のシール部材５０ａを貼付する場合でも、シール部材５０ａ同士が重なってしまったり、シール部材５０ａが傾いた状態で貼付されてしまったりする恐れを軽減させやすくなる。
【手続補正８】
【補正対象書類名】明細書
【補正対象項目名】００７６
【補正方法】変更
【補正の内容】
【００７６】
なお、図７の動物園図柄６００と、上述の１つのシール図柄５６ａと台紙図柄２６０とを組み合わせた動物園図柄と、上述の１つのシール図柄５６ａと１つのシール図柄５６ｂと台紙図柄２６０とを組み合わせた動物園図柄はそれぞれ異なっている。ただし、各動物園図柄も、シール図柄５６と台紙図柄２６０によって得られた図柄であり、乳幼児は、各動物園図柄を見ることで、それぞれの図柄を楽しむことができる。